(57)【要約】  端子絶縁部材７Ａ、７Ｂは、第１支持台７１Ａの内側面が相対向しており、この両端子絶縁部材の内側面には、蓋６の表面に沿って延びる係合凹部７５が形成されている。第２支持台７２Ａにおける蓋の短辺に沿った外側面には、蓋表面に沿って延びる係合凹部７６が形成されている。両端子絶縁部材の係合凹部７５，７６は相互に対向配置されている。さらに両端子絶縁部材には、蓋の長辺に沿った両側面に略円形断面形状の係合凹部７７も穿設されている。二次電池ＳＢに装着される付属部品の位置決めや固定等に利用できる。これによって、外付部品の装着専用の部品が不要となる。
2012077216.tif 000002
【特許請求の範囲】
【請求項１】
蓋で密閉された電池容器内に収容された発電体と、
前記蓋にそれぞれが設けられるとともに、前記発電体のそれぞれに前記正負極集電部材を介して接続された正負極外部端子と、
前記正負極外部端子をそれぞれ前記蓋に対して絶縁する一対の端子絶縁部材とを備え、
前記一対の端子絶縁部材の少なくとも一方には、外付部品を前記電池容器に装着するための装着部が形成されていることを特徴とする二次電池。
【請求項２】
請求項１記載の二次電池において、
前記正負極外部端子は、正負極集電板を介して前記発電体の正負極板に接続されていることを特徴とする二次電池。
【請求項３】
請求項１または２記載の二次電池において、
前記蓋に設けられたガス排出弁を覆うように前記蓋に前記外付部品として設けられるガス捕集ダクトをさらに備えるとともに、前記装着部は係合部であり、
前記ガス捕集ダクトには、前記係合部と互いに弾性的に係合して前記端子絶縁部材に係止される係止部が設けられていることを特徴とする二次電池。
【請求項４】
請求項３記載の二次電池において、
前記一対の端子絶縁部材のそれぞれには前記係合部が設けられ、
前記ガス捕集ダクトは前記一対の端子絶縁部材の間に横設して設けられ、
前記端子絶縁部材の前記係合部は、前記一対の端子絶縁部材が互いに対向する対向面に設けられた凹部または突部であり、
前記ガス捕集ダクトの長手方向両端部には、前記端子絶縁部材の前記凹部または前記突部と弾性的に係合する相補形状の凸部または凹部の前記係止部がそれぞれ設けられ、
前記外付部品が前記一対の端子絶縁部材の双方を用いて電池容器に装着されるようにしたことを特徴とする二次電池。
【請求項５】
請求項１乃至４のいずれか１項記載の二次電池において、
前記二次電池を冷却するように、前記端子絶縁部材のそれぞれに前記外付部品として設けられた一対の放熱機能部品をさらに備えるとともに、前記装着部は係合部であり、
前記放熱機能部品には、前記端子絶縁部材に設けた前記係合部と互いに弾性的に係合して前記端子絶縁部材に係止される係止部が設けられていることを特徴とする二次電池。
【請求項６】
請求項５記載の二次電池において、
前記端子絶縁部材に設けた前記係合部は、前記一対の端子絶縁部材が互いに対向する対向面のそれぞれに設けた第１係合部と、
前記電池容器の長手方向に延在する前記端子絶縁部材の両側面に設けた第２および第３係合部とを含み、
前記放熱機能部品には、前記第１〜第３係合部と係止される第１〜第３係止部が設けられていることを特徴とする二次電池。
【請求項７】
請求項６記載の二次電池において、
前記第１〜第３係合部のそれぞれは凹部または突部であり、
前記第１〜第３係止部は、前記凹部または突部とは相補形状に形成されていることを特徴とする二次電池。
【請求項８】
請求項７記載の二次電池において、
前記第１〜第３係合部は凹部であり、前記第１〜第３係止部は前記凹部に弾性的に係合する爪であることを特徴とする二次電池。
【請求項９】
請求項１または２記載の二次電池において、
前記二次電池を保持するため前記端子絶縁部材に前記外付部品として装着されるセルホルダをさらに備えるとともに、前記装着部は係合部であり、
前記セルホルダには、前記端子絶縁部材の前記係合部と互いに係合して前記端子絶縁部材に弾性的に係止される係止部が設けられていることを特徴とする二次電池。
【請求項１０】
請求項９記載の二次電池において、
前記端子絶縁部材に設けた前記係合部は、前記電池容器の長手方向に延在する前記端子絶縁部材の両側面に設けた第１および第２係合部と、前記電池容器の最小面に対向する面に設けた第３係合部とを含み、
前記セルホルダには、前記第１および第２係合部と係止される第１および第２係止部と、前記第３係合部と係止される第３係止部が設けられていることを特徴とする二次電池。
【請求項１１】
請求項１０記載の二次電池において、
前記第１〜第３係合部のそれぞれは凹部または突部であり、
前記第１〜第３係止部は、前記セルホルダが前記端子絶縁部材に弾性的に装着されるように前記凹部または突部とは相補形状に形成されていることを特徴とする二次電池。
【発明の詳細な説明】
【技術分野】
【０００１】
本発明は、外部端子を二次電池の金属容器と絶縁する端子絶縁部材を有する二次電池に関する。
【背景技術】
【０００２】
ハイブリッド車や電気自動車などに使用されるリチウムイオン二次電池に代表される二次電池は、二次電池の内部に発生するガスを排出する安全弁を備えている。
たとえば、特許文献１では、複数個の二次電池の安全弁排出口を全体的に覆うカバーを設け、いずれの二次電池からガスが排出されたときにもガスを捕集する構造が提案されている。
特許文献２では、二次電池の外郭部に形成された安全弁の近傍にガス捕集用部品を直接接続するための接続用部品を設けた構造が提案されている。
【先行技術文献】
【特許文献】
【０００３】
【特許文献１】特開２０１０−１１３８８８（蓄電装置及び車両）
【特許文献２】特開２０１０−４９９４２（電池システム）
【発明の概要】
【発明が解決しようとする課題】
【０００４】
特許文献１、２記載の二次電池のように、ガス捕集部品等を後付けする場合、後付部品を二次電池に装着するための固定部品が必要である。
【課題を解決するための手段】
【０００５】
本発明は、蓋で密閉された電池容器内に収容された発電体と、前記蓋にそれぞれが設けられるとともに、前記発電体のそれぞれに接続された正負極外部端子と、前記正負極外部端子をそれぞれ前記蓋に対して絶縁する一対の端子絶縁部材とを備え、前記一対の端子絶縁部材の少なくとも一方には、外付部品を前記電池容器に装着するための装着部が形成されていることを特徴とする。
【発明の効果】
【０００６】
本発明によれば、外付部品を二次電池に装着する際に装着専用の別段の部品を必要とせず、部品点数を削減することができる。
【図面の簡単な説明】
【０００７】
【図１】本発明による二次電池の一実施形態を示す外観斜視図。
【図２】図１の二次電池の分解斜視図。
【図３】図１の二次電池の部分拡大図。
【図４】図３におけるＩＶ部を示す拡大図。
【図５】図４におけるＶ矢視図。
【図６】図４におけるＶＩ矢視図。
【図７】正極外部端子側の縦断面図
【図８】図１の二次電池にガス捕集ダクトを装着した状態を示す拡大斜視図。
【図９】図８の平面図。
【図１０】図８のガス捕集ダクトを示す斜視図。
【図１１】図１０のＸＩ矢視図。
【図１２】図９のＸＩＩ−ＸＩＩ矢視線に沿う断面図。
【図１３】図１の二次電池に放熱機能部品を装着した状態を示す拡大斜視図。
【図１４】図１３の平面図。
【図１５】図１３の放熱機能部品を示す斜視図。
【図１６】図１６のＸＶＩＩ矢視図。
【図１７】図１４のＸＶＩＩ−ＸＶＩＩ矢視線に沿う断面図。
【図１８】図１の二次電池によって構成した組電池を示す斜視図。
【図１９】図１８の組電池を同じ方向から見た分解斜視図。
【図２０】図１８の組電池を逆方向から見た分解斜視図。
【図２１】図１８におけるＸＸＩ部を示す拡大図。
【図２２】図１９におけるＸＸＩＩ部を示す拡大図。
【図２３】図２０におけるＸＸＩＩＩ部を示す拡大図。
【発明を実施するための形態】
【０００８】
本発明による二次電池の実施形態を、図面を参照して説明する。
【０００９】
［第１実施形態］
―電池全体構成―
図１に示す二次電池ＳＢは、電池容器を構成するケース１および蓋６を備える。この明細書において、符号ＷＳで示されるケース１の正面を最大面と呼び、符号ＷＮで示されるケース１の側面を最小面と呼ぶ。ケース１の正面の左右方向を電池の幅と呼び、側面の幅、すなわち電池の奥行き方向を電池の厚さと呼ぶ。
【００１０】
ケース１内には発電体３（図２）が収納され、ケース１は蓋６によって封止されている。蓋６はケース１に溶接されて電池容器が構成される。蓋６には、正極外部端子９Ａと、負極外部端子９Ｂとが設けられている。発電体３に蓄電された電力が正負極外部端子９Ａ，９Ｂを介して外部負荷に供給され、回生運転などで発電された電力が正負極外部端子９Ａ，９Ｂを介して発電体３に充電される。
【００１１】
蓋６にはガス排出弁１０が一体的に設けられている。電池容器内の圧力が上昇すると、ガス排出弁１０が開いて内部からガスが排出され、電池容器内の圧力が低減される。これによって、二次電池ＳＢの安全性が確保される。
【００１２】
蓋６には、ケース１内に電解液を注入する注液口１１が穿設され、注液口１１は、電解液注入後に注液栓１２によって封止される。
符号８Ａ，８Ｂは、正負極外部端子９Ａ，９Ｂを蓋に固定するかしめ部材であり、後に詳細に説明する。
【００１３】
二次電池ＳＢの分解斜視図である図２を参照して、二次電池ＳＢをさらに詳細に説明する。
発電体３は絶縁材料で作製された絶縁袋２を介して二次電池ＳＢのケース１内に収容されている。発電体３は、セパレータを介して正負極体を扁平形状に捲回した電極群であり、捲回軸方向の両端側には、正極合剤および負極合剤が塗布されていない電極箔露出面がそれぞれ正極接続部３１と負極接続部３２として形成され、これらの正負極接続部３１，３２には正負極集電板４Ａ，４Ｂの一端４Ａ１，４Ｂ１がそれぞれ接続されている。正負極集電板４Ａ，４Ｂの他端４Ａ２，４Ｂ２には、正負極接続部材（かしめ部材）８Ａ,８Ｂの下端部がかしめ固定されている。正負極接続部材８Ａ，８Ｂの上端部は蓋６を貫通して電池上面まで延在している。電池蓋６の上面には端子絶縁部材７Ａ，７Ｂと正負極外部端子９Ａ,９Ｂとが積層して配設され、負極接続部材８Ａ,８Ｂは蓋６と端子絶縁部材７Ａ，７Ｂと正負極外部端子９Ａ，９Ｂをそれぞれ貫通して電池ケース１の外部に突出され、蓋６の上面において、正負極接続部材８Ａ，８Ｂと正負極外部端子９Ａ，９Ｂとがかしめ固定されている。
【００１４】
以上の構成により、正負極外部端子９Ａ，９Ｂは、正負極接続部材８Ａ，８Ｂにより正負極集電板４Ａ，４Ｂに電気的に接続され、端子絶縁部材７Ａ，７Ｂにより正負極外部端子９Ａ，９Ｂは電池蓋６と絶縁されている。なお、正負極接続部材８Ａ，８Ｂはガスケット５Ａ，５Ｂにより蓋６と電気的に絶縁されている。
【００１５】
本発明の特徴は、正負極端子絶縁部材７Ａ、７Ｂを用いて、二次電池ＳＢの種々の付属部品を蓋６、すなわち電池容器に装着可能にしたことにある。付属部品として、以下では、ガス捕集ダクト、放熱機能部材、セルホルダを例示して説明する。
【００１６】
図２〜図７を参照して正負極外部端子周辺の構造について正極外部端子を一例として説明する。図３は蓋６の上面を電池斜め上方から見た図、図４は図３の正極外部端子周辺要部を拡大して示す図、図５は図４をＶ方向から見た図、図６は図４をＶＩ方向から見た図である。また図７は、正負極外部端子周辺構造の縦断面図であり、とくに、蓋６の上面において、正負極接続部材８Ａ，８Ｂと正負極外部端子９Ａ，９Ｂとのかしめ構造を詳細に示す図である。
【００１７】
（外部端子周辺構造）
正極外部端子９Ａは、略平板状に形成された金属板である。正極外部端子９Ａは、正極接続部材８Ａがかしめ結合されるかしめ固定部９１Ａと、外部負荷との接続のためのバスバー（図示省略）が取り付けられるバスバー取付部９２Ａとを有している。かしめ固定部９１Ａとバスバー取付部９２Ａとは、電池中央に向かって下り勾配で、かつ、幅が狭く形成されている接続板９３Ａにより接続されている。
【００１８】
略平板状に形成された絶縁板である正極端子絶縁部材７Ａは、かしめ固定部９１Ａが載置される第１支持台７１Ａと、バスバー取付部９２Ａが載置される第２支持台７２Ａとを有している。第１支持台７１Ａと第２支持台７２Ａの周囲は壁７Ｗで取り囲まれ、正極外部端子９Ａは壁７Ｗで囲まれた領域に位置決めされる。正極端子絶縁部材７Ａの第１支持台７１Ａには貫通孔７１Ａ１が設けられ、かしめ固定部９１Ａには貫通孔９１Ａ１がそれぞれ設けられている。これらと対応して蓋６にも同様の貫通孔が設けられている。円柱状の正極接続部材８Ａは、これらの貫通孔を貫通し、正極接続部材８Ａの上下端は電池容器の内外にそれぞれ延在している。正極接続部材８Ａの下端は正極集電板４Ａにかしめにより固着され、上端は正極外部端子９Ａのかしめ固定部９１Ａとかしめにより固着されている。このかしめ固着により端子絶縁部材７Ａが蓋６と正極外部端子９Ａとの間に挟持される。
【００１９】
（端子絶縁部材）
上述したように、端子絶縁部材７Ａは、第１支持台７１Ａと第２支持台７２Ａを有し、全体として、幅が電池容器の厚さに対してやや小さい寸法の小判形状に形成されている。第１支持台７１Ａの先端は円弧状に形成され、第２支持台７２Ａは全体が略正方形形状に形成されている。第１支持台７１Ａの円弧状先端の側面には窪んだ矩形断面形状の係合凹部７５が設けられ、係合凹部７５と対向する第２支持台７２Ａの側面には窪んだ矩形断面形状の係合凹部７６が設けられている。さらに、端子絶縁部材７Ａの電池容器の幅方向に沿った両側面の略中央部には窪んだ円形断面形状の係合７７がそれぞれ設けられている。
【００２０】
負極外部端子９Ｂは正極外部端子９Ａと同一の部品、負極端子絶縁部材７Ｂは正極端子絶縁部材７Ａと同一の部品であり、説明を省略する。
【００２１】
このように、平板小判状の端子絶縁部材７Ａの４つの周面にはそれぞれ係合凹部７５〜７７が設けられ、二次電池ＳＢに後付けする付属部品（後付部品）の位置決めや固定等に利用される。以下、付属部品について説明する。
【００２２】
［外付部品適用例（その１）：ガス補修ダクト］
上述したように、二次電池ＳＢでは、電池容器の内圧が所定値を越えるとガス排出弁１０からガスが外部に排出される。そこで、排出されたガスが二次電池ＳＢの周囲に飛散しないように適宜な箇所まで導くガス捕集ダクトが用いられる。このガス捕集ダクトを正負極端子絶縁部材７Ａ,７Ｂに簡単に装着する適用例について、図８〜図１２を参照して説明する。
【００２３】
図８および図９に示すように、ガス捕集ダクト１３は、正負極端子絶縁部材７Ａ、７Ｂの第１支持台７１Ａ，７１Ｂの対向面に設けられている係合凹部７６を使用して蓋上面に装着するものである。
【００２４】
図１０および図１１に示すように、ガス捕集ダクト１３は略長方形状の基部１３１を有し、基部１３１は、蓋６の幅と略等しい幅と、両端子絶縁部材７Ａ、７Ｂの第１支持台７１Ａ，７ＩＢの対向面同士の間隔よりも若干短い長さと、第１支持台７１Ａ，７１Ｂと略等しい厚さ（高さ）を有する。従って、基部１３１は、両端子絶縁部材７Ａ、７Ｂの間に、第１および第２支持台７１Ａ，７１Ｂに連続するように、収まりよく収容される。
【００２５】
ガス捕集ダクト１３は、例えば、合成樹脂により成型され、基部１３１は、リブ１３５で補強された中空形状とされる。
【００２６】
基部１３１の長手方向両端部には、係合凹部７６に係合するとともに、基部１３１の長手方向に弾性変形可能な爪１３Ａが設けられている。爪１３Ａは基部１３１の端面よりも若干突出している。基部１３１の長手方向中央には、ガスを排出する排出口１３２が上向きに突設されている。排出口１３２の外周には雄ネジ１３４が形成されている。雄ネジ１３４を利用してガス排出パイプ（図示省略）やガス排出ホース（図示省略）を取り付けることができる。
【００２７】
基部１３１には、排出口１３２に連通するガス捕集室１３３が設けられている。基部１３１の底面には、ガス捕集室１３３を取り囲むように形成されたＯリング装着溝にＯリング１３Ｂが装着されている。ガス捕集ダクト１３は、Ｏリング１３Ｂによりガス排出弁１０の出口側に密着して気密的に配置される。
【００２８】
ガス捕集ダクト１３の装着方法について説明する。
基部底面のＯリング装着溝にＯリング１３Ｂを装着したガス捕集ダクト１３を、正負極端子絶縁部材７Ａ，７Ｂの間の領域に蓋６の上方から押し付ける。ガス捕集ダクト１３の爪１３Ａは基部１３１の端面よりも若干突出しており、基部１３１を両端子絶縁部材７Ａ、７Ｂの間に上方から押し込むと、図１２に示すように、爪１３Ａは第１支持台７１Ａ、７１Ｂの内面に接しつつ、一旦内側に押し込まれた後、係合凹部７５内に弾性的に突出して係合する。このとき、Ｏリング装着溝に装着したＯリング１３Ｂが適度に押圧変形され、ガス捕集室１３３が蓋６に気密的に密着される。
【００２９】
このようにしてガス捕集ダクト１３を装着した二次電池では、二次電池ＳＢの内部圧力が閾値を越えたときに排出弁１０から排出されたガスは、ガス捕集室１３３内に捕集されつつ、排出口１３２から排出される。そして、ガス捕集ダクト１３の排出口１３２に接続したパイプやホースにより車室外などの適所に排出される。ガス排出弁１０からガスが排出されたとき、ガス圧力によりＯリング１３Ｂが適度に変形して、ガス捕集ダクト１３からのガス漏洩が防止される。
【００３０】
以上説明したガス捕集ダクト１３を装着した二次電池によれば、つぎのような作用効果を奏することができる。
【００３１】
（１）別段の取り付け部品を使用することなく、ガス捕集ダクト１３を、端子絶縁部材７Ａ，７Ｂの係合凹部７５によって支持、固定することができる。したがって、ガス捕集ダクト取付専用部材が不要となり、コスト低減を図ることができる。
【００３２】
（２）ガス捕集ダクト１３の長手方向の寸法を正負極端子絶縁部材７Ａ，７Ｂが対向する離間距離とほぼ同一とし、短手方向の寸法を電池の厚み方向の寸法よりも若干小さくした。すなわち、ガス捕集ダクト１３の平面視の形状を蓋の外形寸法内に納めるようにした。その結果、ガス捕集ダクト１３が装着されても、二次電池ＳＢの厚さ方向（短手方向）と幅方向（長手方向）にサイズが大きくなることがない。
【００３３】
［外付部品適用例（その２）：放熱機能部品］
係合凹部を用いて放熱機能部品を装着する適用例を、図１３〜図１７を参照して説明する。
【００３４】
二次電池ＳＢは発電体３の充放電により発熱するので、必要に応じて放熱機能部品を装着して冷却することがある。そこで、放熱機能部品１４を正負極端子絶縁部材７Ａ,７Ｂに簡単に装着する適用例について図１３〜図１７を参照して説明する。
【００３５】
図１３および図１４に示すように、放熱機能部品１４は、正負極端子絶縁部材７Ａ、７Ｂの第１支持台７１Ａ，７１Ｂにそれぞれ装着されている。図１７に示すように、放熱機能部品１４とかしめ部材８Ａおよび正極外部端子９Ａとの間には伝熱シート１５が介装され、発電体３の熱は、かしめ部材８Ａと正極外部端子９Ａから放熱機能部品１４に効果的に伝熱するようにしている。伝熱シート１５は、柔らかく粘着性と弾力性能と熱伝導性能を有するシリコンやゴムなどの軟質材で成形したものを使用することができる。
【００３６】
正負極端子絶縁部材７Ａ，７Ｂに装着される放熱機能部品１４は同一であり、かつ、正負極端子絶縁部材７Ａ，７Ｂも同一であり、以下では、主に正極端子絶縁部材７Ａ側について説明する。
【００３７】
図１５、図１６に示すように、放熱機能部品１４は、電池容器の厚さとほぼ同一の厚みを有する略立方体状に形成されている。放熱機能部品１４は、第１支持台７１Ａの上面に当接する平板状の基部１４１と、基部１４１の上面に所定間隔で立設されている複数のフィン１４３と、基部１４１の下面の両側端において第１支持台７１Ａの側面に沿って延設される一対の挟持板１４２とを備えている。一対の挟持板１４２は、基部１４１から突出する一対の張出部１４２ａを有し、これらの張出部１４２ａの対向面には、第１支持台７１Ａの一対の係合凹部７７に嵌入されるボス１４Ｂがそれぞれ突設されている。一対の張出部１４２ａは、両者の間隔の拡縮方向に弾性的に変形可能である。
【００３８】
基部１４１の張出部１４２ａとは反対側の下面縁中央には、第１支持台７１Ａの係合凹部７６に係合される爪１４Ａが下方に突設されている。爪１４Ａの先端には基部１４１の内方に屈曲した係合部が形成されている。図１４に示すように、爪１４Ａ、ボス１４Ｂは、放熱機能部品１４を端子絶縁部材７Ａに取り付けた状態で、基部１４１が外部端子９Ａとかしめ部材８Ａに近接するように位置設定されている。
【００３９】
後述するように、放熱機能部品１４を絶縁端子部材７Ａに跨るように装着するとき、爪１４Ａは弾性変形して係合凹部７６に係合するとともに、一対のボス１４Ｂは挟持板１４２の張出部１４２ａが外側へ弾性変形することにより係合凹部７７に係合する。
【００４０】
放熱機能部品１４の装着方法について説明する。
図１７に示すように、接続部材８Ａの上面には伝熱シート１５を予め敷いておく。挾持板１４２の張出部１４２ａを外方に弾性変形させて押し開きながら第１支持台７１Ａの両側面に沿って放熱機能部品１４を電池容器長手方向外側に向けてスライド操作する。ボス１４Ｂが係合凹部７７の位置に至ると、張出部１４２ａが復元変形してボス１４Ｂが係合凹部７７に係合する。これによって、放熱機能部品１４は、ボス１４Ｂにおいて係合凹部７７によって枢支され、係合凹部７７を中心に揺動自在となる。係合凹部７７を中心に放熱機能部品１４を蓋６に向かって回転させて爪１４Ａを係合凹部７６に係合させる。
【００４１】
このようにして放熱機能部品１４を装着した二次電池では、発電体３から伝熱された正負極外部端子９Ａ、９Ｂの熱は伝熱シート１５を介して放熱機能部品１４に伝達され、さらに、速やかにフィン１４３に伝達されて放熱される。その結果、接続端子９Ａの熱は、効率的に放熱され、二次電池ＳＢの過熱が防止されて、二次電池ＳＢの性能の劣化を防止するとともに寿命を長くすることガできる。
【００４２】
以上の放熱機能部品１４を装着した二次電池によれば次のような作用効果を奏することができる。
（１）別段の取り付け部品を使用することなく、放熱機能部品１４を係合凹部７６と７７によって端子絶縁部材７Ａ，７Ｂに支持、固定することができる。したがって、放熱機能部品取付専用部材を必要とせず、コスト低減を図ることができる。
【００４３】
（２）ガス捕集ダクト１３と同様に、放熱機能部品１４の平面視の形状を蓋の外形寸法内に納めるようにした。その結果、放熱機能部品１４が装着されても、二次電池ＳＢの厚さ方向（短手方向）と幅方向（長手方向）にサイズが大きくなることがない。
（３）放熱機能部品１４の端子絶縁部材７Ａ、７Ｂへの取り付け作業は極めて容易である。
【００４４】
（４）正負極集電板４Ａ，４Ｂから発電体３の熱が伝熱される正負極接続部材８Ａ,８Ｂの頭部と正負極外部端子９Ａ，９Ｂとの間に伝熱シート１５を介装したので、発電体３の熱を効率よく正負極外部端子９Ａ，９Ｂに伝熱して二次電池を効率よく冷却することができる。
【００４５】
（５）正負極接続部材８Ａ,８Ｂの頭部と正負極外部端子９Ａ，９Ｂとの間に、柔らかく粘着性と弾力性能と熱伝導性能を有するシリコンやゴムなどの軟質材で成形され伝熱シート１５を介装した。その結果、その弾力性能によって放熱機能部品１４と接続端子９Ａとの間に弾性的な反発力を生じさせ、放熱機能部品１４の爪１４Ａと端子絶縁部材７Ａの係合凹部７６や７７との隙間を吸収する。その結果、部品間のガタつきが吸収され、放熱機能部品１４が二次電池ＳＢの接続端子９Ａの上部へ安定して装着することができる。
【００４６】
なお、放熱機能部品１４の端子絶縁部材７Ａへの取り付けに際して、ボス１４Ｂの係合凹部７７への嵌入と同時に、爪１４Ａを係合凹部７６に係合させてもよい。
【００４７】
［外付部品適用例（その３）］
複数の二次電池ＳＢをセルホルダで組電池として構成する際、端子絶縁部材７Ａ，７Ｂの係合凹部を用いてセルホルダを装着する適用例を、図１８〜図２３を参照して説明する。セルホルダは、複数の二次電池ＳＢを位置決めするために使用される。
【００４８】
図１８に示す組電池１００は、複数の二次電池ＳＢを厚さ方向に並列し、隣接する二次電池ＳＢ間にセルホルダ１６を挿入して組み立てられている。
【００４９】
図１９〜図２３を参照してセルホルダ１６による組電池一体化構造について説明する。
図１９は、図１８で示した組電池を同方向から見た分解斜視図であり、二次電池ＳＢとセルホルダ１６を分離して示す図、図２０は、図１８で示した組電池を反対側から見た分解斜視図であり、二次電池ＳＢとセルホルダ１６を分離して示す図である。
【００５０】
図１８〜図２０を参照してセルホルダ１６について説明する。
セルホルダ１６は、二次電池ＳＢの最大面よりやや大きい長方形板状であり、絶縁性の合成樹脂で作製されている。セルホルダ１６は、二次電池の最大面と対向配置される主板１６１と、二次電池ＳＢの上縁に沿って延在する上縁部材１６２と、二次電池ＳＢの下縁に沿って延在する下縁部材１６３とを有し、主板１６０の表裏面には水平方向に所定間隔で空気通路が形成されている。主板１６１は上下縁部材１６２，ｌ６３に挟まれている。上縁部材１６２の一方の端部から、二次電池ＳＢの厚さ方向にその厚さと略同一の長さを有する押さえ部材１６２ａが直角方向に突設されている。上縁部材１６２の押さえ部材１６２ａに近い端部側の表裏面には、係合凹部７７に係合するボス１６Ａが突設されている。また、押さえ部材１６２ａの内側面には、係合凹部７６に係合する爪１６Ｂが突設されている。
【００５１】
下縁部材１６３の中央部の一方の面には二次電池ＳＢの底面が載置される載置突部１６Ｃが突出され、上縁部材１６２の押さえ部材１６２ａとは反対側に近い端部側の一方の面には角柱形状の押さえ突部１６Ｄが突設されている。これらの載置突部１６Ｃと押さえ突部１６Ｄは、隣接する二次電池同士の傾きを防止するものである。
【００５２】
組電池組み立て手順について説明する。
以下のような手順で、まず組電池対象である全ての二次電池ＳＢの一方の最大面にセルホルダ１６を装着する。セルホルダ１６の上縁部材１６２の一対のボス１６Ａの一方を二次電池ＳＢの端子絶縁部材７Ａの係合凹部７７に係合するとともに、上縁部材１６２の押さえ部材１６２ａの爪１６Ｂを端子絶縁部材７Ａの係合凹部７６に係止することにより、二次電池ＳＢにセルホルダ１６が装着される。
【００５３】
セルホルダ１６が装着された複数の二次電池ＳＢを厚さ方向に以下の手順で順次に集積して組電池が組み立てられる。二次電池ＳＢに装着されたセルホルダ１６の主板１６１を、隣接配置される二次電池ＳＢの最大面と密接に配置する。このとき、載置突部１６Ｃに二次電池ＳＢの底面を載置するとともに、押さえ突部１６Ｄを二次電池ＳＢの蓋６の上面の縁に係止させる。
【００５４】
以上の手順を組電池対象である全ての二次電池ＳＢについて繰り返して行うことにより、図１８に示す組電池を作製することができる。
【００５５】
このように製作された組電池によれば以下のような作用効果を奏する。
（１）端子絶縁部材７Ａ，７Ｂに装着したセルホルダ１６を使用して複数の単電池を組電池として組み立てるようにしたので、セルホルダ１６を二次電池に装着するための特別の部品を使用する必要がなく、部品点数の低減を図ることができる。
【００５６】
（２）二次電池ＳＢの最大面側に突出するボス１６Ａと、最小面側に突出する爪１６Ｂを係合凹部７６と７７に係合してセルホルダ１６を端子絶縁部材７Ａ，７Ｂに装着するようにした。セルホルダ１６は２方向で二次電池ＳＢに装着されるので、二次電池ＳＢの最大面側に突出するボス１６Ａのみでホルダ１６を二次電池ＳＢに装着する場合に比べて、二次電池ＳＢに装着したセルホルダ１６が脱落するおそれが少ない。
【００５７】
（３）セルホルダ１６の載置突部１６Ｃと押さえ突起１６Ｄにより隣接する二次電池ＳＢを互いに拘束するようにしたので、二次電池ＳＢの最大面と平行な面内での傾きが防止される。
（４）組電池１００の組み立てに際して、あらかじめ二次電池ＳＢにセルホルダ１６を装着しておくことができ、組み立て作業の効率がよい。
【００５８】
本発明による二次電池を以下のように変形して実施することができる。
（１）同一の正負極端子絶縁部材を用いるとともに、二つの絶縁部材をともに利用して付属部品を装着するようにしたが、正負極端子絶縁部材は別々の部材としてもよい。
（２）正負極一対の端子絶縁部材に外付部品を装着する場合について説明したが、いずれか一方にのみ外付部品を装着するようにしてもよい。
【００５９】
（３）端子絶縁部材に係合凹部を設け、外付部品に突部や爪を設けたが、端子絶縁部材に突部や爪を設け、係合凹部に突部や爪を設けてもよい。
（４）端子絶縁部材は、複数種類の外付部品が装着可能に構成したが、１種類のみの外付部品を装着可能に構成してもよい。
【００６０】
本発明による二次電池は、外部端子を蓋と絶縁する絶縁部材を利用して電池付属部品を二次電池に装着するように構成したものであり、本発明が上記実施形態に限定されず、以下のような態様も本発明に含まれる。
（１）端子絶縁部材に設けた係合凹部の形状、形成位置などは実施形態に限定されない。
（２）付属部品も実施形態に限定されず、種々の外付部品に対して本発明を適用できる。
（３）発電体と外部端子を集電板により電気的に接続したが、外部端子と集電板とを一体化、すなわち一つの部材として作製してもよい。
（４）発電体の構成も実施形態に限定されない。
（５）電池容器の形状も実施形態に限定されない。
（６）外部端子を電池容器の電池蓋に設けるようにしたが、最大面に外部端子を設けた二次電池にも本発明を適用できる。
【図１】
2012077216.tif 000003
【図２】
2012077216.tif 000004
【図３】
2012077216.tif 000005
【図４】
2012077216.tif 000006
【図５】
2012077216.tif 000007
【図６】
2012077216.tif 000008
【図７】
2012077216.tif 000009
【図８】
2012077216.tif 000010
【図９】
2012077216.tif 000011
【図１０】
2012077216.tif 000012
【図１１】
2012077216.tif 000013
【図１２】
2012077216.tif 000014
【図１３】
2012077216.tif 000015
【図１４】
2012077216.tif 000016
【図１５】
2012077216.tif 000017
【図１６】
2012077216.tif 000018
【図１７】
2012077216.tif 000019
【図１８】
2012077216.tif 000020
【図１９】
2012077216.tif 000021
【図２０】
2012077216.tif 000022
【図２１】
2012077216.tif 000023
【図２２】
2012077216.tif 000024
【図２３】
2012077216.tif 000025
【国際調査報告】
2012077216.tif 000026
2012077216.tif 000027
2012077216.tif 000028
2012077216.tif 000029